(57)【要約】【課題】装着されたランプ装置の位置ずれや脱落を防止できるソケット装置および照明器具を提供する。【解決手段】ソケット装置30は、ソケット本体32および端子33を備える。ソケット本体32は、ランプ装置12の上面から突出するランプピン23が挿入されるとともにランプ装置12の周方向の一方への回動によってランプピン23が装着される取付孔38、および所定の装着位置に回動されたランプ装置12が周方向の一方に対して逆方向に回動するのを抑制する逆回動抑制手段43を有する。【選択図】図１
2015149233.tif 000002
【特許請求の範囲】
【請求項１】
ランプ装置の上面から突出するランプピンが挿入されるとともに前記ランプ装置の周方向の一方への回動によって前記ランプピンが装着される取付孔、および所定の装着位置に回動された前記ランプ装置が周方向の一方に対して逆方向に回動するのを抑制する逆回動抑制手段を有するソケット本体と；
前記装着位置に回動された前記ランプ装置の前記ランプピンに電気的に接続される端子と；
を具備することを特徴とするソケット装置。
【請求項２】
前記取付孔は、前記ランプピンが挿通可能とする挿通孔部、この挿通孔部に連通するとともに周方向に沿って設けられ前記ランプピンが回動可能とする長孔部、この長孔部に回動された前記ランプピンを支える支え部を有し、
前記逆回動抑制手段は、前記支え部に設けられている
ことを特徴とする請求項１記載のソケット装置。
【請求項３】
前記逆回動抑制手段は、前記支え部から窪む窪み部を有する
ことを特徴とする請求項２記載のソケット装置。
【請求項４】
前記逆回動抑制手段は、前記支え部から上方に突出する突起を有する
ことを特徴とする請求項２記載のソケット装置。
【請求項５】
上面から突出するランプピンを有するランプ装置と；
このランプ装置を装着する請求項１ないし４いずれか一記載のソケット装置と；
を具備することを特徴とする照明器具。
【請求項６】
下部に前記ソケット装置を配置し、上部が引掛シーリングボディに取り付けられる円筒状のアダプタと；
前記アダプタの周囲に螺合装着される円筒状のカバーと；
を具備することを特徴とする請求項５記載の照明器具。
【発明の詳細な説明】
【技術分野】
【０００１】
本発明の実施形態は、ランプ装置を挿入および回動させて装着するソケット装置、およびこのソケット装置を備えた照明器具に関する。
【背景技術】
【０００２】
従来、例えば、上面から一対の断面略Ｔ字形のランプピンが突設されたＧＸ５３形の口金を有するランプ装置に対応して、このランプ装置を着脱可能に装着するようにしたソケット装置がある。
【０００３】
このソケット装置は、ランプ装置のランプピンが挿入されるとともにランプ装置の周方向への回動によってランプピンが装着される一対の取付孔を有している。これら取付孔は、挿通孔部と、この挿通孔部に連通するとともに周方向に沿って設けられた長孔部とを有するだるま孔形状に形成されている。
【０００４】
そして、ランプ装置のランプピンを挿通孔部に挿入し、ランプ装置を周方向に回動させてランプピンを長孔部に移動させることにより、ランプ装置をソケット装置に装着している。
【先行技術文献】
【特許文献】
【０００５】
【特許文献１】特開２０１１−２１６３１５号公報
【発明の概要】
【発明が解決しようとする課題】
【０００６】
しかしながら、ソケット装置に装着されたランプ装置に対して外力が加わったり振動が加わると、ソケット装置に対してランプ装置が外れる方向に回動し、ランプ装置が位置ずれしたり脱落するおそれがある。
【０００７】
本発明が解決しようとする課題は、装着されたランプ装置の位置ずれや脱落を防止できるソケット装置および照明器具を提供することである。
【課題を解決するための手段】
【０００８】
実施形態のソケット装置は、ソケット本体および端子を備える。ソケット本体は、ランプ装置の上面から突出するランプピンが挿入されるとともにランプ装置の周方向の一方への回動によってランプピンが装着される取付孔、および所定の装着位置に回動されたランプ装置が周方向の一方に対して逆方向に回動するのを抑制する逆回動抑制手段を有する。端子は、装着位置に回動されたランプ装置のランプピンに電気的に接続される。
【発明の効果】
【０００９】
本発明によれば、装着位置に回動されたランプ装置が逆方向に回動するのを逆回動抑制手段で抑制できるため、ランプ装置の位置ずれや脱落を防止することが期待できる。
【図面の簡単な説明】
【００１０】
【図１】第１の実施形態を示すソケット装置の断面図である。
【図２】同上ソケット装置を用いた照明器具の分解状態の斜視図である。
【図３】同上ソケット装置に装着するランプ装置の斜視図である。
【図４】同上照明器具のカバーを断面とした側面図である。
【図５】第２の実施形態を示すソケット装置の断面図である。
【発明を実施するための形態】
【００１１】
以下、第１の実施形態を、図１ないし図４を参照して説明する。
【００１２】
図２および図４において、照明器具10は、天井面Ａに設置された引掛シーリングボディ11に装着するシーリングダウンライトを示す。引掛シーリングボディ11は、本実施形態では丸形を示すが、角形等の他の形でもよい。引掛シーリングボディ11の下面には引掛シーリングボディ11の中心軸に対して対称位置に一対の接続孔が形成され、これら接続孔の内側に交流電源を供給するための端子が配置されている。
【００１３】
照明器具10は、ランプ装置12、アダプタ13、およびカバー14を備えている。
【００１４】
そして、図２ないし図４に示すように、ランプ装置12は、円筒状の筐体17を備えている。筐体17の内部には光源18および点灯回路19が収容されている。光源18は、ＬＥＤや有機ＥＬ等の発光素子が用いられている。点灯回路19は、外部から供給される交流電源を所定の直流電源に変換して光源18に供給し、光源18を点灯させる。
【００１５】
筐体17の下面には光源18からの光が透過する透光カバー20が取り付けられている。
【００１６】
筐体17の上部には、ＧＸ５３形の口金21が形成されている。口金21は、筐体17の上面中央から突設された円筒状の突出部22、および筐体17の上面周辺部から突設された一対のランプピン23を備えている。一対のランプピン23は、突出部22の側方で、ランプ装置12の中心軸を中心として対称位置に配置されている。
【００１７】
突出部22の周面には、一対のランプピン23と交差する位置に、縦溝部24aおよび横溝部24bを有する略Ｌ字形のキー溝24が形成されている。
【００１８】
一対のランプピン23は、筐体17から突出する円柱状のピン部25、およびピン部25の先端にピン部25より大径に設けられた円板状の大径部26を有する断面略Ｔ字形に形成されている。一対のランプピン23は、点灯回路19の交流電源入力側に電気的に接続されている。
【００１９】
また、図２および図４に示すように、アダプタ13は、円筒状のアダプタ本体29、およびアダプタ本体29の下部に配置されたソケット装置30を備えている。
【００２０】
アダプタ本体29は、下方に開口され、ソケット装置30を収納した状態に取り付けている。アダプタ本体29の周面には、雄ねじであるねじ部31が形成されている。アダプタ本体29の上面には、引掛シーリングボディ11の一対の接続孔に着脱可能に装着される一対の断面略Ｌ字形の電極片が突設されている。これら電極片は接続孔に装着されて引掛シーリングボディ11に引っ掛かるとともに引掛シーリングボディ11の端子に電気的に接続される。
【００２１】
図１および図２に示すように、ソケット装置30は、ＧＸ５３形口金の接続に対応している。ソケット装置30は、ソケット本体32、および一対の端子33を備えている。
【００２２】
ソケット本体32は、中心域に上下に挿通する挿通孔34を有する環状に形成されている。ソケット本体32には、環状部35、および環状部35の内周部分から立ち上げられた円筒部36が一体に形成されている。円筒部36の内側に挿通孔34が形成されている。
【００２３】
環状部35には、ソケット本体32をアダプタ本体29にねじ止めするための複数のねじ止め孔37が形成されている。さらに、環状部35には、ソケット本体32の中心線を中心として対称位置に一対の取付孔38が形成されている。これら取付孔38は、ランプピン23が挿通可能とする挿通孔部39、およびこの挿通孔部39に連通するとともに周方向に沿って設けられランプピン23が回動可能とする長孔部40を有するだるま孔形状に形成されている。挿通孔部39の径はランプピン23の大径部26の径より大きく、長孔部40の幅はランプピン23の大径部26の径より狭いとともにピン部25より広い関係を有している。
【００２４】
挿通孔部39の縁部上面には、ランプピン23の大径部26の挿脱をガイドするガイド壁41が立設されている。ガイド壁41は、長孔部40とは反対側となる挿通孔部39の略半周領域に形成されている。
【００２５】
長孔部40の縁部上面には、長孔部40に回動されたランプピン23の大径部26の下面を支えることが可能な支え部42が形成されている。支え部42には、所定の装着位置Ｐに回動されたランプ装置12のランプピン23を保持する逆回動抑制手段43が設けられている。逆回動抑制手段43は、装着位置Ｐでランプピン23が対向する支え部42の高さが装着位置Ｐ以外でランプピン23が対向する支え部42の高さより低く、支え部42より窪む窪み部44によって構成されている。窪み部44により、装着位置Ｐに回動したランプピン23の大径部26が落ち込むように構成されている。窪み部44と支え部42との間には段差部45が形成されている。
【００２６】
図２に示すように、円筒部36の内周面には、一対の取付孔38とは交差する位置に、ランプ装置12の一対のキー溝24が嵌り込む一対のキー46が突設されている。
【００２７】
端子33は、長孔部40の両側上方に配置され、装着位置Ｐに回動されたランプピン23の大径部26の周面に接触して電気的に接続される。一対の端子33は、アダプタ本体29の上面に突設された一対の電極片にそれぞれ電気的に接続されている。
【００２８】
なお、ソケット本体32の下面には、ランプ装置12を下方へ付勢する弾性体47を配置してもよい。弾性体47は、例えばゴムやスポンジ等を用いることができ、ねじ止め孔37の部分を利用してソケット本体32に配置してもよいし、ソケット本体32の下面に貼り付けてもよい。
【００２９】
また、カバー14は、上下に開口する円筒状に形成されている。カバー14は、光透過性を有する材料によって形成されている。カバー14の内周面にはアダプタ13のねじ部31に螺合する雌ねじであるねじ部50が形成されている。ねじ部50はカバー14の上下方向の中央域に配置されている。また、カバー14は上下方向の一端側と他端側とで異なる配光特性を有するように構成されている。例えば、カバー14の一端側にシール等の配光部材51を張り付けることで構成されている。そして、カバー14の一端側および他端側の何れを上方に向けた状態でも、カバー14をアダプタ13に取り付けることができる。また、カバー14をアダプタ13に螺合して取り付けることにより、カバー14の上端が天井面Ａに当接した状態で保持されている。
【００３０】
そして、このように構成された照明器具10は、アダプタ13の径より引掛シーリングボディ11およびランプ装置12の径が小さく、カバー14がアダプタ13の径に近似した径に形成され、コンパクトに構成されている。
【００３１】
照明器具10を天井面Ａの引掛シーリングボディ11に設置するには、アダプタ13を引掛シーリングボディ11に取り付け、ランプ装置12をアダプタ13に取り付け、カバー14をアダプタ13に螺着して取り付ける。
【００３２】
ランプ装置12をアダプタ13に取り付ける場合には、ランプ装置12の口金21をアダプタ13のソケット装置30に取り付けることになる。そして、口金21の一対のキー溝24（縦溝部24a）をソケット装置30の一対のキー46に合わせ、口金21の突出部22をソケット装置30の挿通孔34に挿入する。これにより、口金21がソケット装置30に対して位置決めされた状態で挿入され、一対のランプピン23が一対の取付孔38の挿通孔部39に挿入される（図１の２点鎖線位置）。口金21をソケット装置30に対して所定の挿入位置まで挿入すると、ランプピン23の大径部26が支え部42より上方に配置される。
【００３３】
ソケット装置30に挿入状態にある口金21を所定の取付方向に対応した周方向に回動させる。これにより、ランプピン23の大径部26が支え部42上に移動するとともに、ピン部25が長孔部40内を移動する。さらに、キー溝24の横溝部24bがキー46に嵌り込む。
【００３４】
ランプピン23を装着位置Ｐまで移動させた後、ランプ装置12の押し上げを解除すると、ランプピン23の大径部26が窪み部44に落ち込み、ランプピン23が装着位置Ｐに保持される。さらに、ランプ装置12の押し上げを解除すると、キー溝24の横溝部24bがキー46上に引っ掛かり、キー46でランプ装置12をソケット装置30に支える。
【００３５】
ソケット本体32の下面に弾性体47を配置している場合には、ランプ装置12をソケット装置30に装着する際に、ランプ装置12とソケット装置30との間で弾性体47が挟み込まれて弾性変形し、この弾性体47の反発力によりランプ装置12をソケット装置30に対して下方へ付勢する。そのため、ランプピン23の大径部26が窪み部44に落ち込んだ状態が保持される。
【００３６】
装着位置Ｐに移動したランプピン23には端子33が電気的に接続される。これにより、引掛シーリングボディ11からアダプタ13を通じてランプ装置12に交流電源の供給が可能となる。
【００３７】
そして、ランプ装置12に交流電源が供給されることにより、点灯回路19によって変換された直流電源が光源18に供給され、光源18が点灯し、透光カバー20を透過した光が下方へ照射される。透光カバー20を透過した光の一部はカバー14に入射する。このとき、配向部材51側の端部を下側としてカバー14をアダプタ13に取り付けている場合には、配向部材51に応じてランプ装置12からの光を遮光あるいは配向部材51を透光し、一方、配向部材51側の端部を上側としてカバー14をアダプタ13に取り付けている場合には、ランプ装置12からの光をカバー14が透過する。
【００３８】
また、ランプ装置12をソケット装置30に取り付けた状態において、例えばカバー14をアダプタ13に着脱するために回動操作する際にランプ装置12に触る等、ランプ装置12に取付方向とは反対の取外方向に外力が加わったとする。この場合、取外方向に口金21とともにランプピン23が回動しようとしても、ランプピン23の大径部26が段差部45に当接し、取外方向への口金21の回動が抑制される。これにより、ランプピン23は装着位置Ｐに保持されるため、ランプピン23が位置ずれして端子33との電気的な接続が不良となったり、ランプピン23がソケット装置30から脱落するのを防止することができる。
【００３９】
また、ランプ装置12の交換時等、ランプ装置12をソケット装置30から取り外すには、口金21を取外方向に回動させる。これにより、ランプピン23の大径部26が段差部45に当接し、一旦、口金21の回動が抑制されるが、口金21を強く回動させたり口金21を押し上げながら回動させることにより、ランプピン23の大径部26が段差部45を乗り越え、支え部42上に移動する。さらに、ランプピン23の大径部26が挿通孔部39上に移動することにより、ランプピン23が挿通孔部39から下方に抜き外し、ランプ装置12をソケット装置30から取り外すことができる。
【００４０】
本実施形態のソケット装置30によれば、装着位置Ｐに回動されたランプ装置12が逆方向に回動するのを逆回動抑制手段43で抑制できるため、ランプ装置12の位置ずれや脱落を防止することができる。
【００４１】
また、逆回動抑制手段43は、取付孔38の挿通孔部39から長孔部40に回動されたランプピン23を支える支え部42に設けることができ、逆回動抑制手段43を簡単に構成することができる。
【００４２】
さらに、逆回動抑制手段43は、支え部42より窪む窪み部44で構成するため、逆回動抑制手段43を簡単に構成できるとともに、ランプピン23を確実に保持できる。
【００４３】
また、カバー14の両端間の中央域にねじ部50を配置しているため、カバー14の両端の何れを上方に向けた状態でもアダプタ13に取り付けることができる。カバー14の一端側と他端側とで配光特性を異なるように構成しておけば、カバー14の取り付け向きを変えることで任意の配光を選択することができる。
【００４４】
次に、図５に第２の実施形態を示す。なお、第１の実施形態と同じ構成については同じ符号を用い、その構成および作用効果の説明を省略する。
【００４５】
逆回動抑制手段43は、装着位置Ｐの手前で支え部42から上方に突出する突起54によって構成されている。
【００４６】
そして、ランプ装置12をソケット装置30に装着する際、ソケット装置30に挿入状態にある口金21を取付方向に対応した周方向に回動させることにより、ランプピン23の大径部26が支え部42上に移動するとともに、ピン部25が長孔部40内を移動する。ランプピン23が装着位置Ｐに回動する手前で、ランプピン23の大径部26が突起54に当接するため、口金21を強く回動させたり口金21を押し上げながら回動させることにより、ランプピン23の大径部26が突起54を乗り越える。ランプピン23の大径部26が突起54を乗り越えることにより、ランプピン23が装着位置Ｐに配置される。ランプピン23の大径部26が突起54を乗り越えて落ち込む際のクリック感により、口金21がソケット装置30に装着されたことを操作者にわかりやすくすることができる。
【００４７】
また、ランプ装置12をソケット装置30に取り付けた状態において、ランプ装置12に取付方向とは反対の取外方向に外力が加わった場合、取外方向に口金21とともにランプピン23が回動しようとしても、ランプピン23の大径部26が突起54に当接し、取外方向への口金21の回動が抑制される。これにより、ランプピン23は装着位置Ｐに保持されるため、ランプピン23が位置ずれして端子33との電気的な接続が不良となったり、ランプピン23がソケット装置30から脱落するのを防止することができる。
【００４８】
また、ランプ装置12の交換時等、ランプ装置12をソケット装置30から取り外すには、口金21を取外方向に回動させる。これにより、ランプピン23の大径部26が突起54に当接し、一旦、口金21の回動が抑制されるが、口金21を強く回動させたり口金21を押し上げながら回動させることにより、ランプピン23の大径部26が突起54を乗り越える。さらに、ランプピン23の大径部26が挿通孔部39上に移動することにより、ランプピン23が挿通孔部39から下方に抜き外し、ランプ装置12をソケット装置30から取り外すことができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
10    照明器具
11    引掛シーリングボディ
12    ランプ装置
13    アダプタ
14    カバー
23    ランプピン
30    ソケット装置
32    ソケット本体
33    端子
38    取付孔
39    挿通孔部
40    長孔部
42    支え部
43    逆回動抑制手段
44    窪み部
54    突起
Ｐ    装着位置
【図１】
2015149233.tif 000003
【図２】
2015149233.tif 000004
【図３】
2015149233.tif 000005
【図４】
2015149233.tif 000006
【図５】
2015149233.tif 000007